(57)【要約】  ダイ・ヘッドの下部ダイ部分(１２)に形成された第一微小孔(１８)の第一配列にプローブ・ピン(１４)を整列させるダイ・ヘッドの上部ダイ部分(３６)に関し、全体として、スペーサ部分(３８)と、支持フレーム(４０)と、それぞれ第一及び第二の組立補助フィルム(４２)及び(４４)とを含む。スペーサ部分(３８)は下部ダイ部分(１２)に接触するように構成される。第一の組立補助フィルム(４２)は、典型的には第二表面(４８)と支持フレーム(４０)の間に位置し、プローブ・ピン(１４)を受け入れるように構成された第二微小孔(５０)の第二配列を備える。第二の組立補助フィルム(４４)は、概ね第一の組立補助フィルム(４２)に接触又は近接近していて、プローブ・ピン(１４)を受け入れるように構成された第三微小孔(５２)の第三配列を備える。第二微小孔(５０)の第二配列及び第三微小孔(５２)の第三配列は、パターン化されて互いに整合しているが、双方とも第一微小孔(１８)の第一配列とは大凡プローブ先端部(２０)とプローブ頭部(２８)間の横方向の距離ほどズレている。
2007512516.tif 000002
【特許請求の範囲】
【請求項１】
ダイ・ヘッド上部ダイ部分（３６）であって、ダイヘッドの下部ダイ部分(１２)に形成された第一微小孔(１８)の第一配列に、プローブ・ピン(１４)を整列させるダイ・ヘッドの上部ダイ部分(３６)において、
第一及び第二表面(４６，４８)を有し、前記第一表面(４６)が前記下部ダイ部分(１２)に接触するように構成されたスペーサ部分(３８)と、
支持フレーム(４０)と、
前記第二表面(４８)と前記支持フレーム(４０)の間に位置し、プローブ・ピン(１４)を受け入れるように構成された第二微小孔(５０)の第二配列を備えた第一の組立補助フィルム(４２)と
を含む上部ダイ部分(３６)。
【請求項２】
前記第一の組立補助フィルム(４２)に近接し、前記プローブ・ピン(１４)を受け入れるように構成された第三微小孔(５２)の第三配列を備えた、第二の組立補助フィルム(４４)を更に含む請求項１に記載された上部ダイ部分(３６)。
【請求項３】
前記第三微小孔(５２)の第三配列外周辺(６０)の周囲の薄いシム(６２)と、
余分の大きさの微小孔(６６)を備え、前記第二の組立補助フィルム(４４)の上面部に位置するシート(６４)と
を更に含む請求項２に記載された上部ダイ部分(３６)。
【請求項４】
ダイ・ヘッドの上部ダイ部分（３６）であって、ダイヘッドの下部ダイ部分(１２)に形成された第一微小孔(１８)の第一配列に、プローブ・ピン(１４)を整列させるダイ・ヘッドの上部ダイ部分(３６)において、
第一及び第二表面(４６，４８)を有し、第一表面(４６)が前記下部ダイ部分(１２)に接触するように構成されたスペーサ部分(３８)と、
前記第二表面(４８)より上に位置する第一支持フレーム(６７)と、
前記プローブ・ピン(１４)を受け入れるように構成された第二微小孔(７４)の第二配列を備えた組立補助フィルム(６８)と、
前記第一支持フレーム(６７)及び前記組立補助フィルム(６８)より上に位置する第二支持フレーム(７０)と、
前記第二支持フレーム(７０)に接合されかつ前記プローブ・ピン(１４)を受け入れるように構成された第三微小孔(７６)の第三配列を備えたシート(７２)と
を含む上部ダイ部分(３６)。
【請求項５】
前記組立補助フィルム(６８)が、前記第一支持フレーム(６７)によりぴーんと張った状態に保持される請求項４に記載された上部ダイ部分(３６)。
【請求項６】
第二及び第三配列(５０，５２，７４，７６)が、前記第一微小孔(１８)の第一配列からズレるように構成される請求項１〜５のいずれか一項に記載された上部ダイ部分(３６)。
【請求項７】
前記スペーサ部分(３８)が、少なくとも第一及び第二の切離し可能な部分(３８ａ，３８ｂ)を有する請求項１〜６のいずれか一項に記載された上部ダイ部分(３６)。
【請求項８】
前記第一の組立補助フィルム(４２)、前記第二の組立補助フィルム(４４)又は前記組立補助フィルム(６８)が、少なくとも半透明である請求項１〜７のいずれか１項に記載された上部ダイ部分(３６)。
【請求項９】
前記第一の組立補助フィルムに接触する第二の組立補助フィルムを更に含み、該第二の組立補助フィルムは、プローブ・ピンを受け入れるように構成された第四微小孔の第四配列を備える請求項４に記載された上部ダイ部分(３６)。
【請求項１０】
プローブ・ピン(１４)を把持する工程と、
プローブ・ピン(１４)を上部及び下部部分(３６，１２)から上向きに引っ張って、ダイ・ヘッドからプローブ・ピン(１４)を取り出す工程と、
プローブ・ピン(１４)を上部及び下部部分(３６，１２)の両方に通して下向きに挿入して、前記取出し工程で取り出されたプローブ・ピン(１４)と同じ箇所に置換え用プローブ・ピンを挿入する工程と、
前記取出し工程で取り外された少なくとも１枚の組立補助フィルム(４４)を置き換える工程と
を含む上部及び下部ダイ部分(３６，１２)を備えたダイ・ヘッドにプローブ・ピン(１４)を置き換える方法。
【発明の詳細な説明】
【技術分野】
【０００１】
本発明は、垂直ピン集積回路探知装置に関し、より詳細には、プローブ・ピンを垂直ピン集積回路探知装置のダイ・ヘッド組立体に装着する組立装置及び方法に関する。
【背景技術】
【０００２】
ある形式の垂直ピン探知装置には座屈梁ダイ設計が利用されている。特許文献１に記載のように、試験用の集積回路又は他の装置は可動チャックに支持される。集積回路は、典型的には、例えば、コネチカット州ブルックフィールド（Brookfield）所在のウェントワース・ラボラトリーズ（Wentworth Laboratories）社からコブラ（COBRA：登録商標）のブランド名で販売されている検出ヘッド等の垂直ピン集積回路探知装置により、同時に探知される導体パッドのパターン又はマトリックスを有する。探知装置は、一群の孔を有する下部ダイ及び一群の孔を有する上部ダイを備えており、上下部のダイはスペーサで分離されると共に多数の垂直なピン・プローブを通す。ダイの材料は、典型的には、例えば、デラウェア州ウィルミントン（Wilmington）所在の E.I.デュ・ポン・ド・ヌムール社（E.I.duPont de Nemours & Co）の登録商標であって、アセタール樹脂であるデルリン（Delrin）のブランド名で販売されているようなプラスチック絶縁材料や、インフィー社（Imphy,S.A.）の登録商標であって、ニッケル合金であるインバール（Invar）のブランド名で販売されているような低熱膨張率の金属や、又は窒化ケイ素等のセラミックからなる。
【０００３】
各プローブ・ピンは、下部ダイ下面の孔から突出するプローブ先端部と、上部ダイ上面の孔から突出する露出した頭部とを有する。垂直なプローブ・ピンの対向端部が入る複数の孔は互いに僅かにズレている。プローブ・ピンは、座屈を促すように蛇に似た形状に湾曲しており、そのため、垂直方向の僅かな不均一すなわちズレがあっても、実質的に集積回路のパッドに均一な接触圧をもたらす。
【特許文献１】米国特許第６,２９７,６５７号明細書
【発明の開示】
【発明が解決しようとする課題】
【０００４】
図１を参照して、従来技術として公知の座屈梁ダイ１０の部分的に組み立てられた部分は、下部ダイ１２、プローブ・ピン１４及び組立補助フィルム１６を備える。下部ダイ１２は、プローブ先端部２０が挿入される微小孔１８の配列を含む。組立補助フィルム１６は、フィルムに穴開けされた微小孔２２と一致するパターンを含む。小さな組立補助フィルム１６の一側縁２４が、例えばテープ等を用いて下部ダイ１２の上面２６に接着されて、フィルムがほぼ微小孔１８全体にわたって位置する。各プローブ先端部２０が下部ダイの微小孔１８の１つに挿入され、その際、プローブ頭部２８が組立補助フィルム１６の対応する微小孔２２に挿入されて通り抜け、プローブ・ピン１４を所定の位置に保持する。この工程は、各プローブ・ピン１４が所定の位置に収まるまで継続される。プローブ頭部２８の挿入は、各プローブ頭部をフィルムの下側に滑らかに押し進めて微小孔１８の適当な１つを通り抜けるに十分な隙間を与えるように、組立補助フィルム１６を持ち上げる必要がある。組立が進むと、組立補助フィルム１６を周期的につなぎ止めて、既に孔に差し込まれた接点のプローブ頭部２８から離れて持ち上がるのを防止する必要がある。それとは関係なく、組立補助フィルム１６が時々プローブ頭部２８から離れて持ち上がり、部分的又は完全な再組立が必要になる。組立補助フィルム１６の微小孔２２に通してプローブ頭部２８を嵌入する工程は、また、各プローブ・ピン１４が不用意に折り曲げられる機会を与える。
【０００５】
各プローブ・ピン１４が、下部ダイ１２及び組立補助フィルム１６に装着された後、上部ダイの空洞内部に全体が収まるようにフィルムを切断し、つなぎ止めワイヤーを取り除く必要がある。この工程は、屡々組立補助フィルム１６が１つ以上のプローブ頭部２８から離れて持ち上がることになり、組立体の部分的又は完全な再組立を再び必要とする。組立補助フィルム１６が切断され、ワイヤーが取り除かれた後、上部ダイ３０を設置する必要がある。図２に示すように、これは、各プローブ頭部２８が下部ダイの微小孔のそれぞれの１つにぴったりと合うように、プローブ・ピン１４の配列の全体にわたって下部ダイ１２及び組立補助フィルム１６のそれぞれの微小孔１８，２２のパターンと一致した微小孔３２の配列を有する、上部ダイ３０を整合させる必要がある。これは、プローブ・ピンの折曲を避けるために、典型的には各数千のプローブ・ピン１４が１つの微小孔３２を同時に貫通しなければならないので、細心の注意を要する操作である。従って、組立を容易にするために、上部ダイ３０の各微小孔３２は、下部ダイ１２及び組立補助フィルム１６の微小孔より大きい。また、更に図２を参照して、上部ダイ３０は、約０.１インチ（２．５４ｍｍ）厚のポリイミド材料の円形ディスクから取り掛かり、微小孔３２の配列を画定するパターンが孔開けされる０．０１０インチ（０．２５４ｍｍ）厚のオーダの薄い「ウェブ」を残しながら、空洞３４を粉々に削り取る慣用の手段により作製される。削取り後の材料のバランスの崩れた内部応力や、吸湿等のため、配列を横断してかかる薄いウェブ材料を平らに保つことは屡々困難であり、上部ダイの比較的低い歩留まり率に帰す。
【０００６】
上部ダイ３０が設置された後、アライメントピン（図示せず）が挿入されて上部ダイを下部ダイ１２と正しく合わせ、ネジ（図示せず）を取り付けて上部及び下部ダイを一緒に保持する。次に、配列の端から端まで整合したプローブ・ピン全体の長さに達するために、プローブ頭部２８がラッピングされる。ラッピング工程のある帰結は、ラッピング破片が上部ダイ３０の余分の大きさの微小孔３２を通過し、頭部組立体内部の組立補助フィルム１６に集まる、ということである。この破片は、導電性であり、接点間の電気的な短絡を避けるために除去されなければならない。従って、破片を適切に除去するために、ラッピング後に上部ダイ３０を取り外す必要がある。上部ダイ３０の取外しは、プローブ頭部２８から離れて持ち上がる更なる機会を組立補助フィルム１６に与え、組立体の部分的又は完全な再組立を必要とする。また、上部ダイ３０は繰り返しとなる位置合わせ及び組立が必要であり、位置合わせが完全でないならば、プローブ・ピン１４を折曲する別の機会を与える。
【０００７】
座屈梁技術の１つの利点は修理能力にある。プローブ・ピンは試験用電子機器に永久に結合するものではないので、組立体全体を廃棄せずに損傷したプローブ・ピンを置き換えることが可能である。図２に示された従来の設計による修理工程には問題がある。修理工程は、プローブ・ピン１４へのアクセスを得るために上部ダイ３０を取り外す必要がある。次に、組立補助フィルム１６を介して引っ張ることにより、損傷した１つのプローブ・ピン１４が引き出され、同じ組立補助フィルムの孔を介して新たなプローブ・ピンが再び挿入される。上記技術を用いた時に生じることのある幾つかの問題がある。まず、上部ダイ３０の取外しは、組立補助フィルム１６を１つ以上のプローブ頭部から離して持ち上げることに繋がることがある。組立補助フィルム１６が静電気で時々上部ダイ３０の下側に付着して配列から完全に剥がれるようになり、完全な再組立が必要となる。
【０００８】
上部ダイ３０が首尾良く取り外されるならば、その時、組立補助フィルム１６を介して損傷したあらゆるプローブ・ピン１４を引き抜かなければならない。組立補助フィルム１６の微小孔２２は、例えば、典型的なプローブ・ピン１４の直径よりも大きい０．０００１インチ（０．００２５４ｍｍ）のオーダの直径をしていて「窮屈」であるので、プローブ・ピン「スエージ（金型の一種：swage）」がフィルムを通過できるように、組立補助フィルムを僅かに引き剥がさなければならない。組立補助フィルム１６に対するこの「強い引っ張り」は、１つ以上のプローブ・ピン１４から離して持ち上げる別の機会をフィルムに与える。
損傷した１つのプローブ・ピン１４が首尾良く取り出され、別のプローブ・ピンが挿入されるならば、組立補助フィルム１６の特定の１つの微小孔２２が直ちに拡大されるが、新たなプローブ・ピンをその上部ダイ３０の関連した微小孔３２と位置合わせする際に潜在的な困難を引き起こす。また、組立補助フィルム１６の拡大された１つの微小孔２２は、プローブ・ピン１４により自由な動きを可能にさせ、電気的短絡回路の形成に至る厳密な許容誤差の適用では、上記ピン１４が隣接するプローブ・ピンに接触する可能性がある。
【課題を解決するための手段】
【０００９】
本発明の１つの態様は、ダイ・ヘッドの下部ダイ部分に形成された第一微小孔の第一配列にプローブ・ピンを整列させるダイ・ヘッドの上部ダイ部分にあり、第一表面が下部ダイ部分に接触するように構成された第一及び第二表面を有するスペーサ部分と、支持フレームと、第二表面と支持フレームの間に位置すると共に、プローブ・ピンを受け入れるように構成された第二微小孔の第二配列を備えた第一の組立補助フィルムとを含む。
本発明の別の態様は、ダイ・ヘッドにプローブ・ピンを整列させる整列機構を含むダイ・ヘッドにあって、複数の表面の少なくとも１つがプローブ・ピンを受け入れるように構成された第一微小孔の第一配列を備えた、複数の表面を有する下部ダイ部分と、スペーサ部分を備えた上部ダイ部分と、支持フレームと、第一の組立補助フィルムとを含み、スペーサ部分は、下部ダイ部分の複数の表面の少なくとも１つと接触する第一表面と、第二表面とを有し、第一の組立補助フィルムは、第二表面と支持フレームの間に位置し、プローブ・ピンを受け入れるように構成された第二微小孔の第二配列を備える。
本発明の更に別の態様は、ダイ・ヘッドの下部ダイ部分に形成された第一微小孔の第一配列にプローブ・ピンを整列させるダイ・ヘッドの上部ダイ部分にあり、第一表面が下部ダイ部分に接触するように構成された第一及び第二表面を有するスペーサ部分と、第二表面より上に位置する第一支持フレームと、プローブ・ピンを受け入れるように構成された第二微小孔の第二配列を備えた組立補助フィルムと、第一支持フレーム及び組立補助フィルムの上方に位置する第二支持フレームと、第二支持フレームに接合されると共に、プローブ・ピンを受け入れるように構成された第三微小孔の第三配列を備えたシートとを含む。
【００１０】
本発明のまた更に別の態様は、上部及び下部部分を備えたダイ・ヘッドにプローブ・ピンを置き換える方法にあり、プローブ・ピンを把持する工程と、プローブ・ピンを上部及び下部部分から上向きに引っ張って、ダイ・ヘッドからプローブ・ピンを取り出す工程と、プローブ・ピンを上部及び下部部分の両方に通して下向きに挿入して、上記取出し工程で取り出されたプローブ・ピンと同じ箇所にプローブ・ピンを挿入する工程とを含む。
本発明のなお更に別の態様は、上部及び下部部分を備えたダイ・ヘッドにプローブ・ピンを組み立てる方法にあって、各々が微小孔の配列を備えた少なくとも１枚の組立補助フィルム及びシートの少なくとも１つを取り外す工程と、１つ以上のプローブ・ピンを上部及び下部部分の両方に通して下向きに挿入する工程と、上記取外し工程で取り外された少なくとも１枚の組立補助フィルム及びシートを置き換える工程とを含み、上記少なくとも１枚の組立補助フィルム及びシートは、微小孔の１つに各プローブ・ピンを入れて、プローブ・ピンの位置をダイ・ヘッドに維持する上部部分の上方に存在するように構成されており、ダイ・ヘッドに挿入された１つ以上のプローブ・ピンの各々は、微小孔の配列の１つにより包囲される。
【実施例】
【００１１】
本発明を説明するために、図面は目下のところ好ましいとされる発明の形態を示す。しかし、本発明は、図面に示されたまさにその装置及び手段に限定されないことを理解すべきである。
さて、同じ参照番号が同じ部材又は部品を示す図３〜８、特に図３，４を参照して、本発明の一実施例は、ダイ・ヘッドの下部ダイ部分１２に形成された第一微小孔１８の第一配列にプローブ・ピン１４を整列させるダイ・ヘッドの上部ダイ部分３６を備える。上部ダイ部分３６は、全体として、スペーサ部分３８と、支持フレーム４０と、それぞれ第一及び第二の組立補助フィルム４２及び４４とを備える。
【００１２】
スペーサ部分３８は、それぞれ第一及び第二表面４６及び４８を有する。第一表面４６は、下部ダイ部分１２に接触するように構成される。スペーサ部分３８は、典型的には断面が正方形又は直方形の環状形状をなし、例えば、繊維充填のエポキシ、低熱膨張率の金属又はセラミック等のダイ部分として好適であることが公知のあらゆる材料から形成されることができる。
支持フレーム４０は、典型的には、例えばインバール（登録商標）のブランド名で販売されている低熱膨張率のニッケル合金等の金属箔から形成される。支持フレーム４０は、典型的には形状がスペーサ３８と同様であるが、各プローブ・ピン１４の縦方向に関して寸法が小さい。
第一の組立補助フィルム４２は、典型的には第二表面４８と支持フレーム４０の間に位置し、プローブ・ピン１４を受け入れるように構成された第二微小孔５０の第二配列を備える。第二の組立補助フィルム４４は、概ね第一の組立補助フィルム４２に接触又は近接近した状態にあり、プローブ・ピン１４を受け入れるように構成された第三微小孔５２の第三配列を備える。
【００１３】
第二微小孔５０の第二配列及び第三微小孔５２の第三配列は、互いに整合しているが、下部ダイ１２の第一微小孔１８の第一配列とはズレてパターン化されている。ズレ（オフセット）量は、各プローブ・ピン１４のオフセット量、即ちプローブ先端部２０とプローブ頭部２８間の横方向の距離によって定められる。第一の組立補助フィルム４２における第二微小孔５０の第二配列中の各微小孔は、概ねゆったりとした大きさをしており、例えば、典型的には直径がプローブ・ピン１４の直径よりも大きく約０.５ミル（０.０００５インチ（０．０１２７ｍｍ））であり、従来技術の上部ダイ３０中の微小孔３２（図２参照）よりは小さい。第二の組立補助フィルム４４における第三微小孔５２の第三配列中の各微小孔は、概ね第一の組立補助フィルム４２の微小孔よりも小さく、例えば、典型的には直径が各プローブ・ピン１４の直径よりも大きく約０.１ミル（０.０００１インチ（０．００２５４ｍｍ））であるので、プローブ・ピンを互いに密接に関連した配列に保持することができ、各第三微小孔が効果的にシールされてダイ・ヘッドへの破片の混入を防止する。
【００１４】
第一の組立補助フィルム４２は、また、上部ダイ部分３６の構成部材を下部ダイ１２と位置合わせを行うダボ又は同様の構造物（図示せず）を嵌合することを目的とする位置合わせ孔５４を備える。例えば３Ｍ 2290 Structural Adhesive（ミネソタ州セントポール所在の３Ｍ社製）等の市販の接着剤を用いて、第一の組立補助フィルム４２を支持フレーム４０とスペーサ部分３８に結合することにより、上部ダイ部分３６に更に構造上の剛性を高めることができる。
第一及び第二の組立補助フィルム４２，４４は、例えばポリイミドから形成される種類のあらゆる好適なポリマーフィルムであってもよく、典型的には双方とも少なくとも半透明である。第一の組立補助フィルム４２は、全体的に穴５６を横断するピンと張った「太鼓状膜（drum skin）」を作り出し、穴５６はダイ・ヘッド及び支持フレーム４０内に画定された周辺５８を含み、それにより、従来の設計に特有の非平坦性という問題を解消する。第二の組立補助フィルム４４は、概ね直径が第一の組立補助フィルム４２よりも小さく、穴５６の周辺５８より小さい外周辺６０を有する。そのため、第二の組立補助フィルム４４は、典型的には支持フレーム４０に接触せず、その代わり第一の組立補助フィルム４２の上面に浮かぶことができる。
【００１５】
さて、図５を参照して、代替の実施例において、上部ダイ部分３６′は、典型的には外周辺６０の周囲に設置される薄いシム６２と、第二の組立補助フィルム４４の上方、典型的にはシムの上面に位置するポリマーシート６４とを備える。シム６２は、典型的には、フィルム４２の周辺に隣接する剛性の取付部分６５に取り付けられることのできる第一の組立補助フィルム４２の上面に設置される。取付部分６５はスペーサ部分３８の表面４８の上面に置かれる。シム６２は、全てのプローブ・ピンが装着され、第二の組立補助フィルムが上述の通り設置された後、第二の組立補助フィルム４４の自由な動きを許容する。ポリマーシート６４は上部ダイ部分３６′に更なる剛性と安定性を与える。ポリマーシート６４は、典型的には約６ミル（０．０１５２ｍｍ）厚のポリイミドから形成され、ゆったりとした大きさの、典型的には孔開けされた微小孔６６を備える。位置合わせ孔５４及びダボ・ピン（図示せず）を用いて、ポリマーシート６４、スペーサ部分３８及びシム６２を位置合わせすることができる。ポリマーシート６４はヘッドの修理のために取り外し可能であり、ネジ等を用いてシム６２及びスペーサ３８に取り付けることにより、シート６４をきつく締め付けることができる。図５に図示の実施例において、下部ダイ部分１２及び上部ダイ部分３６′は、４つの微小孔の配列、即ち、第一微小孔１８の第一配列、第二微小孔５０の第二配列、第三微小孔６６の第三配列及び第四微小孔５２の第四配列を備える。
【００１６】
図６を参照して、別の実施例において、上部ダイ部分３６″は、スペーサ部分３８、第一支持フレーム６７、組立補助フィルム６８、第二支持フレーム７０及びシート７２を備える。スペーサ部分３８は、それぞれ第一及び第二表面４６及び４８を有する。第一表面４６は、下部ダイ部分１２に接触するように構成される。第一支持フレーム６７は、上記第二表面４８に隣接して位置し、典型的には組立補助フィルム６８をぴーんと張った状態に保持する。組立補助フィルム６８は、プローブ・ピン１４を受け入れるように構成された第二微小孔７４の第二配列を備える。組立補助フィルム６８は概ね少なくとも半透明である。第二支持フレーム７０は、上記第一支持フレーム６７及び上記組立補助フィルム６８の上に位置する。シート７２は、典型的には、第二支持フレーム７０に接合され、プローブ・ピン１４を受け入れるように構成された第三微小孔７６の第三配列を備える。シート７２は、典型的には約６ミル厚のポリイミドから形成される。第三微小孔７６の第三配列は、典型的には余分の大きさを有しており、即ち、プローブ・ピン１４の直径よりも大きい。前述の実施例と同じく、それぞれ第二及び第三配列７４及び７６は、第一配列１８からズレるように構成される。
【００１７】
さて、図７，８を参照して、本発明の別の実施例において、スペーサ部分３８は、少なくとも、互いに切り離すことのできるそれぞれ第一及び第二部分３８ａ及び３８ｂを含んでいてもよく、スペーサ部分の引抜き及び挿入を容易にする。その際、第一の組立補助フィルム４２を下部ダイ部分１２に近接近させて、組立を行ってもよい。各プローブ先端部２０は、組立補助フィルムの微小孔及び下部ダイ部分の微小孔を殆ど同時に通過する。さて、図８を参照して、全てのプローブ・ピン１４が装着された後、接点（図示せず）の下部ダイ部分１２からの持ち上がりを防止するために、接点の頭部全体にわたって位置するプレート１０２を有する固定具１００にダイ・ヘッドが設置される。次に、第一の組立補助フィルム４２を最終的な高さに持ち上げることができる。第一の組立補助フィルム４２の持ち上げ工程は、全般的に全ての接点を整列させる。その後、スペーサの半分３８ａ，３８ｂが第一の組立補助フィルム４２と下部ダイ部分１２の間に挿入され、位置合わせ孔５４を用いてダイ・ヘッド全体を一緒にピン留め及びネジ止めすることができる。
【００１８】
本発明の別の態様は、上部及び下部部分を備えたダイ・ヘッドにプローブ・ピンを置き換える方法にある。まず、シート６４，７２を取り外す。更に、存在するならば、微小孔の配列を備えた少なくとも１枚の組立補助フィルムを取り外す。次いで、ピンセット又は他の適当な大きさの道具を用いて、置き換えられるべきプローブ・ピン１４のプローブ頭部２８を把持する。次に、プローブ・ピンをそれぞれ上部及び下部部分３６及び１２から上向きに引っ張って、ダイ・ヘッドからそれぞれのプローブ・ピン１４を取り出す。次に、それぞれ上部及び下部部分３６及び１２の両方に通してプローブ・ピンを下向きに挿入することにより、置換え用プローブ・ピン１４を取り出されたプローブ・ピンと同じ箇所に挿入する。その後、存在するならば、先に取り外された少なくとも１枚の組立補助フィルムを置き換え、シート６４，７２を置き換える。
【００１９】
本発明の更に別の態様は、ダイ・ヘッドにプローブ・ピン１４を組み立てる方法にある。ネジ、ダボ等を用いて、上部ダイ部分３６を下部ダイ部分１２に固着した後、各プローブ先端部２０及びプローブ・ピン本体を組立補助フィルム（４２又は６８）のゆったりとした大きさの微小孔に、次いで下部ダイの対応する微小孔１８内に通して、各プローブ・ピン１４を装着する。各組立補助フィルムは好ましくは少なくとも半透明であるので、組立補助フィルムを介して下部ダイの各微小孔１８を見ることが可能であり、それによって、組立が容易になる。２枚以上の組立補助シートを用いるか又はポリマーシートを利用する実施の形態では、各プローブ・ピン１４を残りの組立補助シートに通して下部ダイ部分１２の対応する微小孔１８内に挿入する前に、ポリマーシート及び組立補助シートの双方を取り外してもよい。次に、各プローブ頭部２８を取り外された組立補助フィルム及びポリマーシートの対応する微小孔に通しながら、組立補助フィルム及びポリマーシートを装着されたプローブ・ピンの頂部に配置する。
【００２０】
本発明は、従来技術の設計より優れた複数の利益及び利点を提供する。例えば、本発明の設計はダイ・ヘッドの修理能力を向上させる。単に、第二の組立補助フィルム及び／又はポリイミド・シートを取り外し、損傷したプローブ・ピンを第一の組立補助フィルムのゆったりとした大きさの微小孔に通して引き抜き、新たなプローブ・ピンを再挿入し、第二の組立補助フィルムを再び取り付けるだけで、修理を行うことができる。上部ダイを取り外す必要性がなく、組立補助フィルムがプローブ頭部から離れて持ち上がる可能性がなく、フィルムの引き剥がしがない。
上述の本発明の組立工程は、従来技術の組立工程より優れた幾つかの利益を提供する。まず、一般に従来の組立に要する時間の約１／３で組立工程を完了できる。次に、もはや組立補助フィルムをつなぎ止める必要がないので、フィルムがプローブ頭部から離れて持ち上がる可能性がない。また、もはやプローブ頭部を折り曲げ、組立補助フィルムに通して上向きに挿入する必要がないので、プローブ・ピンを折り曲げる可能性がかなり減少する。
【００２１】
先に本発明の一実施例で説明したように、全てのプローブ・ピンが装着された後、より小さな直径の微小孔の配列を備えた第二の組立補助フィルムが、プローブ頭部全体にわたって位置合わせされ、第一の組立補助フィルムの表面に下げられる。より小さな微小孔は、プローブ・ピンが互いに密接に関連した配列状態に保持することを可能にさせる。更に、第二の組立補助フィルムは、通常ダイ組立体に固定されていないので、プローブ・ピンの圧縮中に、なおその相対的な位置を維持しながらプローブ・ピンの自由な動きを許容する。プローブ・ピンに対する第二の組立補助フィルムの位置合わせは、従来の設計における上部ダイの位置合わせよりも非常に簡単である。というのは、ａ）第二の組立補助フィルムが好ましくは少なくとも半透明であるので、プローブ・ピンは常に視認可能であり、ｂ）全てのプローブ・ピンが必ずしも配列中の全ての微小孔を同時に通過する必要がなく、むしろ、第二の組立補助フィルムを配列部分に段階的に当てはめることができるからである。
【００２２】
第二の組立補助フィルムの更なる利点はラッピング工程で明らかになる。かなり先に説明したように、ラッピング工程では破片が発生する。第二の組立補助フィルムがより小さな直径の、即ち「窮屈な」微小孔を備えているので、ラッピングした破片は、頭部組立体内を通るというよりは、むしろ上記フィルムの上面に集まる。破片が組立体の外部にあると、上部ダイを取り外すことなく容易に取り出せる。第二の組立補助フィルムさえも全体を取り外して、清浄なフィルムと置き換えることができる。
【００２３】
本発明は、また、熱膨張領域における従来技術の設計より優れた改良を提供する。高温試験の応用では、下部及び上部ダイは、プローブ・ピンとこれらが接触するパッドの間の配置構造を維持するために、低熱膨張係数（ＣＴＥ）の材料から構成される。パッドは典型的には低いＣＴＥの材料に位置する。低いＣＴＥの材料は、従来のポリイミド材料と比較して、微小な孔開けに関して課題を提示するかも知れない。本発明では、第一の組立体取付フィルムが、インバール（登録商標）等のブランド名で販売されているようなものなど、低いＣＴＥの金属箔に結合される。ポリイミド・フィルムはＣＴＥがより高い。しかし、フィルムは、例えば１ミルと、非常に薄いので、圧縮力を支持することができない。従って、フィルムが膨張すると接点を離間させることができず、ズレを引き起こすというより、むしろ僅かに垂れ下がり、上部ダイについてＣＴＥの不一致という問題を緩和する。
【００２４】
本発明の孔開け加工は、また、従来技術の加工より優れた改良を提供する。高品質の微小孔を実現すると共にドリルによる破損を避けるために、孔開け加工は制御された送り速度及び多数のパス（通り過ぎること）を必要とするので、従来の上部ダイの孔開けには時間がかかる。これに反し、本発明の組立補助フィルムは、低コストかつ短い準備時間でパンチングによる穴開け又はレーザによる孔開けを行うことができる。また、本発明のフィルムは、非常に窮屈なピッチの適用に利点をもたらす長穴の形成の機会を提供するが、一方、従来の孔開け加工は典型的には丸穴に限定される。
【００２５】
本発明をその代表的な実施例に関して説明及び図示したが、当業者であれば、本発明の精神及び範囲から逸脱することなく、本発明中に及び本発明に対して、前述の及びその他様々な変化や、省略、並びに追加を行ってもよいことを理解すべきである。
【図面の簡単な説明】
【００２６】
【図１】従来技術として公知である部分的に組み立てられた座屈梁ダイの断面図である。
【図２】従来技術として公知である全体が組み立てられた座屈梁ダイの断面図である。
【図３】本発明の一実施例の部分的に組み立てられた座屈梁ダイの断面図である。
【図４】本発明の一実施例の全体が組み立てられた座屈梁ダイの断面図である。
【図５】本発明の一実施例の全体が組み立てられた座屈梁の断面図である。
【図６】本発明の一実施例の全体が組み立てられた座屈梁ダイの断面図である。
【図７】本発明の一実施例の組み立てられた座屈梁ダイの上面等角投影図である。
【図８】本発明の座屈梁ダイの組立に用いられる組立補助具である。
【図１】
2007512516.tif 000003
【図２】
2007512516.tif 000004
【図３】
2007512516.tif 000005
【図４】
2007512516.tif 000006
【図５】
2007512516.tif 000007
【図６】
2007512516.tif 000008
【図７】
2007512516.tif 000009
【図８】
2007512516.tif 000010
【手続補正書】
【提出日】平成18年1月25日(2006.1.25)
【手続補正１】
【補正対象書類名】特許請求の範囲
【補正対象項目名】全文
【補正方法】変更
【補正の内容】
【特許請求の範囲】
【請求項１】
ダイ・ヘッドの上部ダイ部分（３６）であって、ダイヘッドの下部ダイ部分(１２)に形成された第一微小孔(１８)の第一配列に、プローブ・ピン(１４)を整列させるダイ・ヘッドの上部ダイ部分(３６)において、
第一及び第二表面(４６，４８)を有し、第一表面(４６)が前記下部ダイ部分(１２)に接触するように構成されたスペーサ部分(３８)と、
支持フレーム(４０)と、
前記第二表面(４８)と前記支持フレーム(４０)の間に加圧下に取り付けられ、プローブ・ピン(１４)を受け入れるように構成された第二微小孔(５０)の第二配列を備えた、第一の組立補助フィルム(４２)とを含み、該第一の組立補助フィルム(４２)は軸線方向又は横方向の動きを阻止する
上部ダイ部分(３６)。
【請求項２】
前記第一の組立補助フィルム(４２)に近接し、前記プローブ・ピン(１４)を受け入れるように構成された第三微小孔(５２)の第三配列を備えた、第二の組立補助フィルム(４４)を更に含む請求項１に記載された上部ダイ部分(３６)。
【請求項３】
前記第三微小孔(５２)の第三配列外周辺(６０)の周囲の薄いシム(６２)と、
余分の大きさの微小孔(６６)を備え、前記第二の組立補助フィルム(４４)の上面部に位置するシート(６４)と
を更に含む請求項２に記載された上部ダイ部分(３６)。
【請求項４】
ダイ・ヘッドの上部ダイ部分（３６）であって、ダイヘッドの下部ダイ部分(１２)に形成された第一微小孔(１８)の第一配列に、プローブ・ピン(１４)を整列させるダイ・ヘッドの上部ダイ部分(３６)において、
第一及び第二表面(４６，４８)を有し、第一表面(４６)が前記下部ダイ部分(１２)に接触するように構成されたスペーサ部分(３８)と、
前記第二表面(４８)より上に位置する第一支持フレーム(６７)と、
前記プローブ・ピン(１４)を受け入れるように構成された第二微小孔(７４)の第二配列を備えた組立補助フィルム(６８)と、
前記第一支持フレーム(６７)及び前記組立補助フィルム(６８)より上に位置する第二支持フレーム(７０)と、
前記第二支持フレーム(７０)に接合され、前記プローブ・ピン(１４)を受け入れるように構成された第三微小孔(７６)の第三配列を備えたシート(７２)とを含み、
前記組立補助フィルム(６８)は軸線方向又は横方向の動きを阻止する
上部ダイ部分(３６)。
【請求項５】
前記組立補助フィルム(６８)が、前記第一支持フレーム(６７)によりぴーんと張った状態に保持される請求項４に記載された上部ダイ部分(３６)。
【請求項６】
第二及び第三配列(５０，５２，７４，７６)が、前記第一微小孔(１８)の第一配列からズレるように構成される請求項１〜５のいずれか一項に記載された上部ダイ部分(３６)。
【請求項７】
前記スペーサ部分(３８)が、少なくとも第一及び第二の切離し可能な部分(３８ａ，３８ｂ)を有する請求項１〜６のいずれか一項に記載された上部ダイ部分(３６)。
【請求項８】
前記第一の組立補助フィルム(４２)、前記第二の組立補助フィルム(４４)又は前記組立補助フィルム(６８)が、少なくとも半透明である請求項１〜７のいずれか一項に記載された上部ダイ部分(３６)。
【請求項９】
前記第一の組立補助フィルムに接触する第二の組立補助フィルムを更に含み、該第二の組立補助フィルムは、プローブ・ピンを受け入れるように構成された第四微小孔の第四配列を備える請求項４に記載された上部ダイ部分(３６)。
【請求項１０】
軸線方向又は横方向の動きを阻止する組立補助フィルム(６８)を備えた上部ダイ部分(３６)を用意する工程と、
プローブ・ピン(１４)を把持する工程と、
プローブ・ピン(１４)を上部及び下部部分(３６，１２)から上向きに引っ張って、ダイ・ヘッドからプローブ・ピン(１４)を取り出す工程と、
プローブ・ピン(１４)を上部及び下部部分(３６，１２)の両方に通して下向きに挿入して、前記取出し工程で取り出されたプローブ・ピン(１４)と同じ箇所に置換え用プローブ・ピンを挿入する工程と
を含む上部及び下部ダイ部分(３６，１２)を備えたダイ・ヘッドにプローブ・ピン(１４)を置き換える方法。
【国際調査報告】
2007512516.tif 000011